(57)【要約】【課題】簡単な操作により容器本体Ａのシート状の蓋板ａを開封することができ、開封の後は切断部分のシート状の蓋板が液の流路を塞ぐ等の不都合を極力防止できて快適に使用できる飲料容器を提案する。【解決手段】上端開口を閉塞してシート状の蓋板を張設した容器本体Ａと、容器本体に装着したカバー体Ｂとを備え、カバー体は、頂部の開口凹部15内に切断刃19と操作環22とを備え、操作環を回動反転させてその押圧突部23により切断刃を押し下げてシート状の蓋板を切断し、開封する如く構成している。開封に当たっては操作環を反転させるだけで行えるため、その操作も極めて容易であり、切断刃は押圧突部により元に戻ることがないため流路を塞ぐ等の不都合を生じない。【選択図】図３
2008110782.tif 000002
【特許請求の範囲】
【請求項１】
上端開口を閉塞してシート状の蓋板ａを張設した容器本体Ａと、容器本体Ａ上端部に周縁部を嵌着して装着するとともに、頂壁11よりシート状の蓋板ａに至る開口凹部15を設けたカバー体Ｂとを備え、開口凹部15内に第１ヒンジ18を介して切断刃19を水平に支持するとともに、第２ヒンジ21を介して操作環22を水平に支持し、且つ、操作環22の基端部には押圧突部23を立設してなり、操作環22を反転させた際に、押圧突部23により切断刃19を押圧回動させてシート状の蓋板ａの一部を開口する如く構成し、反転させた操作環22を反転状態で開口凹部15内に係止する係止手段を設けたことを特徴とする飲料容器。
【請求項２】
頂壁11の開口縁よりシート状の蓋板ａに至る周壁部16を延設して開口凹部15を構成し、周壁部16を横断して設けた支持壁17前面に第１ヒンジ18を介して切断刃19を突設し、支持壁17後面に第２ヒンジ21を介して操作環22を突設し、操作環22を反転させた際に支持壁17と押圧突部23とで回動した切断刃19の基端部を挟持する如く構成してなる請求項１記載の飲料容器。
【請求項３】
反転した操作環22の外周縁を、開口凹部15の周壁部16内面に摺接係合させる如く構成してなる請求項１又は請求項２のいずれかに記載の飲料容器。
【請求項４】
前記係止手段が、開口凹部15の周壁部16に突設した係止突起25下面に、反転した操作環22が乗り越え係合する如く構成した係止手段である請求項１乃至請求項３のいずれかに記載の飲料容器。
【請求項５】
カバー体Ｂを合成樹脂により一体に成形してなる請求項１乃至請求項４のいずれかに記載の飲料容器。
【発明の詳細な説明】
【技術分野】
【０００１】
本発明は飲料容器に関する。
【背景技術】
【０００２】
プルリングを備え、プルリングを引くことにより容易に開封することができる飲料容器が提案されている（例えば、特許文献１参照）。
【０００３】
上記容器は、紙層を主体とした包装材からなる扇形状のプランク板により胴部の下部に平らな矩形状の底部閉塞部を形成してなる紙カップと、紙カップの上部に嵌入する円形状の筒部を天板部の周囲に備え、紙カップの上部に嵌合接着された合成樹脂製の蓋体とで飲料容器を構成する。また、天板部に開口領域を区画する薄肉部と該薄肉部に隣接して開口領域から延設されたプルリングを設けている。
【特許文献１】特開平０６−２４７４３５号公報
【発明の開示】
【発明が解決しようとする課題】
【０００４】
上記容器は、プルリングを引っ張ることにより容易に開封でき、開口領域を大きくとることにより開封後はストロー等を用いることなく口を付けて口当たり良く飲むことができるという特有の効果を発揮するものであるが、紙製の胴部と合成樹脂製の蓋体とを接着した構造であるため、胴部への蓋体の装着が時間的にも設備的にも面倒が伴い、しかも、蓋体を接着した胴部の下端部を開口しておき、液の充填の後に胴部下端部を複雑に折り畳んで閉塞する如く構成しているため、液の充填にも面倒が伴う。
【０００５】
本発明は、上記した点に鑑みてなされたもので、容器本体内に液を充填後にシート状の蓋板を接着或いは融着等すれば簡単に液の充填が行え、しかもカバー体は容器本体に嵌着すれば簡単に装着することができ、更に、使用に当たっては簡単な操作で開封することができて使い勝手の良い飲料容器を提案する。
【課題を解決するための手段】
【０００６】
本発明の飲料容器は、容器本体と、カバー体とを備えている。
【０００７】
容器本体は紙或いは合成樹脂等により形成され、上端を開口した有底筒状をなすカップ形態のものが使用され、液を収納後に上端開口をシート状の蓋板により閉塞したものが使用される。シート状の蓋板は、周縁部を容器本体の上端部に接着，融着等の適宜固着手段により固着して容器本体上端開口を閉塞するもので、合成樹脂，紙，合成紙，金属薄膜層，或いはこれら相互の積層体を使用でき、合成樹脂製の切断刃により容易に切断できる程度の厚みを採用すると良い。合成樹脂製の切断刃により容易に切断できる程度の厚みとしては、材質等により選択すれば良く、例えば、１０-2〜数ミリ程度の厚みが妥当な厚みと考えられるが、当然これに限られない。
【０００８】
カバー体は合成樹脂により形成されたもので、下端を開口した有頂筒状をなし、容器本体上端部に周縁部を液密に嵌着して装着している。液密性は、例えば、カバー体周縁部を容器本体上面に圧接することにより得られ、要すればカバー体下面に圧接用の環状突起を突設しても良い。また、頂壁よりシート状の蓋板に至る開口凹部を設けている。開口凹部は頂壁の開口縁部よりシート状の蓋板に至る周壁部を備えている。また、開口凹部内には第１ヒンジを介して切断刃を水平に支持するとともに、第２ヒンジを介して操作環を水平に支持し、また、操作環の基端部には押圧突部を立設している。また、カバー体の頂面を、切断刃側を高く反対側を低く形成することもでき、操作環の取り扱いをより行い易くすることができる。この際押圧突部の高さを高い頂面と同レベルとすることにより、頂面の高低差があるにも拘わらず容器の安定した積み重ねが可能となる。
【０００９】
切断刃と操作環とはそれぞれ第１ヒンジ及び第２ヒンジを介して背中合わせに設けられており、操作環を反転させるべく第１ヒンジを中心に回動させた際に、押圧突部で切断刃を押圧して第２ヒンジを中心に回動させてシート状の蓋板を破断開口する如く構成している。従って、最初水平に支持されていた操作環は約１８０°の反転により再び水平状態となり、その状態で係止手段により係止される。係止手段としては、操作環の外周面と開口凹部の周壁部内面との摺接による係止が挙げられ、また、開口凹部の周壁部内面に突設した係止突起の下面に乗り越え係合させる手段、或いは開口凹部の周壁部内面に操作環の先端部分が嵌合する嵌合凹部を形成する手段、或いはこれらの手段の複合手段が挙げられる。
【００１０】
切断刃と操作環とは上記した要件を満たせばその具体的構造は種々採用できるが、開口凹部の前後方向中間部の所定位置を横断して一体に形成された支持壁を設け、支持壁の前面上部に第１ヒンジを介して切断刃を連結し、また、支持壁の後面上部に第２ヒンジを介して操作環を連結し、操作環の基端部所定位置より上方に板状の押圧突部を立設した形態が好ましく採用でき、この場合には、操作環を反転させた際に、支持壁と押圧突部とで回動した切断刃の基端部を挟持する如く構成できる。
【００１１】
第１の手段として、以下の通り構成した。即ち、上端開口を閉塞してシート状の蓋板ａを張設した容器本体Ａと、容器本体Ａ上端部に周縁部を嵌着して装着するとともに、頂壁11よりシート状の蓋板ａに至る開口凹部15を設けたカバー体Ｂとを備え、開口凹部15内に第１ヒンジ18を介して切断刃19を水平に支持するとともに、第２ヒンジ21を介して操作環22を水平に支持し、且つ、操作環22の基端部には押圧突部23を立設してなり、操作環22を反転させた際に、押圧突部23により切断刃19を押圧回動させてシート状の蓋板ａの一部を開口する如く構成し、反転させた操作環22を反転状態で開口凹部15内に係止する係止手段を設けた。
【００１２】
第２の手段として、以下の通り構成した。即ち、前記第１の手段に於いて、頂壁11の開口縁よりシート状の蓋板ａに至る周壁部16を延設して開口凹部15を構成し、周壁部16を横断して設けた支持壁17前面に第１ヒンジ18を介して切断刃19を突設し、支持壁17後面に第２ヒンジ21を介して操作環22を突設し、操作環22を反転させた際に支持壁17と押圧突部23とで回動した切断刃19の基端部を挟持する如く構成した。
【００１３】
第３の手段として、以下の通り構成した。即ち、前記第１の手段又は第２の手段のいずれかの手段に於いて、反転した操作環22の外周縁を、開口凹部15の周壁部16内面に摺接係合させる如く構成した。
【００１４】
第４の手段として、以下の通り構成した。即ち、前記第１の手段乃至第３の手段のいずれかの手段に於いて、前記係止手段が、開口凹部15の周壁部16に突設した係止突起25下面に、反転した操作環22が乗り越え係合する如く構成した係止手段である。
【００１５】
第５の手段として、以下の通り構成した。即ち、前記第１の手段乃至第４の手段のいずれかの手段に於いて、カバー体Ｂを合成樹脂により一体に成形した。
【発明の効果】
【００１６】
本発明の飲料容器は、シート状の蓋板ａにより上端開口を閉塞された容器本体を、操作環22を反転させるという簡単な操作で開封することができ、しかも構造も簡単で安価に製造できる利点もある。また、開封後の操作環22は開口凹部15内に反転状態で係止されるため、切断刃19が元の状態に戻ることがなく、液を飲む際に開口が狭められたりする不都合を生じることはない。また、開口凹部15の存在で開封後液を飲む時に鼻の先が開口凹部15内に収まり飲み易くなるという利点もある。更に、切断刃19，操作環22，押圧突部23等は開口凹部15内に収納されているため、店頭陳列の際や搬送の際に安定した積み重ねが可能である。
【００１７】
頂壁11の開口縁よりシート状の蓋板ａに至る周壁部16を延設して開口凹部15を構成し、周壁部16を横断して設けた支持壁17前面に第１ヒンジ18を介して切断刃19を突設し、支持壁17後面に第２ヒンジ21を介して操作環22を突設し、操作環22を反転させた際に支持壁17と押圧突部23とで回動した切断刃19の基端部を挟持する如く構成した場合には、切断刃19は固定状態となるため開口を余分に拡げる等の不都合はなく、また、上記した液を飲む際に開口が狭める等の不都合を生じることもない。
【００１８】
反転した操作環22の外周縁を、開口凹部15の周壁部16内面に摺接係合させる如く構成した場合には、操作環22の周縁部との隙間がなくなるため、蓋板ａの開口上方に位置する操作環22の開口部分が流路として形成され、操作環の大きさに拘わらず、流路を飲み易い大きさ，形状とすることができる。特に、操作環22の操作を容易ならしめる為に多少大きめに操作環を形成した場合でも、流路は適正な大きさ，形状とすることができる。
【００１９】
開口凹部15の周壁部16に突設した係止突起25下面に、反転した操作環22が乗り越え係合する如く構成した係止手段を設けた場合には、反転した操作環22が強固に係止されて元に戻るという不都合をより確実に防止できる利点がある。
【００２０】
カバー体Ｂを合成樹脂により一体に成形した場合には、複雑な組み付け操作を省略でき、製造工程の簡略化を図れる。
【発明を実施するための最良の形態】
【００２１】
以下、本発明の実施例の形態を図面を参照して説明する。
【００２２】
図１乃至図４は本発明飲料容器の一例を示し、図中１は飲料容器を示す。飲料容器１は、容器本体Ａと、カバー体Ｂとを備えている。
【００２３】
容器本体Ａは合成樹脂製で、有底筒状のカップ形態をなし、周壁２の上端縁より外方へフランジ３を延設して構成している。また、フランジ３上に周縁部を融着固定して容器本体Ａ上端開口を閉塞するシート状の蓋板ａを設けている。
【００２４】
カバー体Ｂは合成樹脂製で、フランジ３上面内周縁に下端を当接させた周壁10の上端縁より頂壁11を延設した下端開口の有頂筒状をなし、周壁10下端縁より外方へ延設したフランジ部12外周縁より、容器本体Ａのフランジ３外周に嵌着させた嵌合筒13を垂設している。嵌合筒13の係合突条14をフランジ３下面に乗り越え係合させて上方への抜け出しを防止している。また、頂壁11の中央部に前後に延びる開口凹部15を形成している。開口凹部15は、前後方向に長く、中央部に開口しており、開口縁より下方のシート状の蓋板ａに至る周壁部16を備えている。
【００２５】
また、開口凹部15の前後方向中間部を横断する支持壁17を一体に備えている。支持壁17の前面上部から前方へ、第１ヒンジ18を介して切断刃19を水平に延設している。切断刃19は先端部分に湾曲した刃部20を設けている。尚、刃部は先端部分にのみ設ける場合に限らず、先端部から両側に延設した刃部を設けても良い。また、支持壁17の後面上部から後方へ第２ヒンジ21を介して操作環22を水平に延設している。操作環22は板状の基端部22a の先端に基端部22a と一部を共有する環状部22b を延設して構成しており、また、基端部22a の上面所定位置に横長四角板状の押圧突部23を立設している。周壁部16の前部所定位置には、反転した環状部22b の先端部を係止する支持突起24と、環状部22b の先端部が乗り越え係合する係止突起25とを突設している。
【００２６】
上記の如く構成した飲料容器１は、図３の状態から第２ヒンジ21を中心に操作環22を反転させると、押圧突部23が切断刃19を押圧しつつ回動し、図４に示す如く、約１８０°回動して係止突起25を乗り越えてその下面と支持突起24との間に係止され、周縁部を周壁部16と摺接係合させる。この際、押圧突部23が切断刃19を押圧するため切断刃19は第１ヒンジ18を中心に回動し、シート状の蓋板ａの一部を切断して開封し、更に回動して真下に垂下した状態となり、この際、押圧突部23と支持壁17との間にその上部を挟持される。
【００２７】
図５乃至図８は他の例を示し、本例では、カバー体の頂壁11を、前半部が高く後半部を低く形成し、操作環22の反転操作をより行い易く構成している。頂壁11は前半部の高部頂壁部11a から傾斜壁部11b を介して後半部の低部頂壁部11c を延設している。開口凹部15は、前後方向に長く、高部頂壁部11a から傾斜壁部11b を介し低部頂壁部11c に至る中央部に開口しており、開口縁より下方のシート状の蓋板ａに至る周壁部16を備えている。また、押圧突部23を高部頂壁部11a と同レベルに形成している。その他は図１の例と同様であるため説明を省略する。
【図面の簡単な説明】
【００２８】
【図１】本発明飲料容器の要部斜視図である。（実施例１）
【図２】本発明飲料容器の平面図である。（実施例１）
【図３】本発明飲料容器の縦断面図である。（実施例１）
【図４】本発明飲料容器の開封後の縦断面図である。（実施例１）
【図５】本発明飲料容器の要部斜視図である。（実施例２）
【図６】本発明飲料容器の平面図である。（実施例２）
【図７】本発明飲料容器の縦断面図である。（実施例２）
【図８】本発明飲料容器の開封後の縦断面図である。（実施例２）
【符号の説明】
【００２９】
１…飲料容器
Ａ…容器本体
２…周壁，３…フランジ
ａ…シート状の蓋板
Ｂ…カバー体
10…周壁，11…頂壁，11a …高部頂壁部，11b …傾斜壁部，11c …低部頂壁部，
12…フランジ部，13…嵌合筒，14…係合突条，15…開口凹部，16…周壁部，
17…支持壁，18…第１ヒンジ，19…切断刃，20…刃部，21…第２ヒンジ，
22…操作環，22a …基端部，22b …環状部，23…押圧突部，24…支持突起，
25…係止突起
【図１】
2008110782.tif 000003
【図２】
2008110782.tif 000004
【図３】
2008110782.tif 000005
【図４】
2008110782.tif 000006
【図５】
2008110782.tif 000007
【図６】
2008110782.tif 000008
【図７】
2008110782.tif 000009
【図８】
2008110782.tif 000010